Podtech/llm-jp-corpus-v4-ja_patent huggingface dataset:
(57)【要約】      （修正有）【課題】可撓性のある１枚のシートの中につば部とベルト部を有し、ベルト部の両端はつば部両端と基礎折り筋を介して繋がっており、該折り筋からベルト部を反転させて、つば部とベルト部の間に生じる空間を利用して頭に被るサンバイザーに於いて、頭のサイズ調整が可能なサンバーザーを提供する。【解決手段】シート状態で、基礎折り筋５ａ，５ｂの内側端から一部の長さはつば部２とベルト部３が切り込みを介して接しており、この間に基礎折り筋に平行するサイズ調整用折り筋６ａ，６ｂをつば部中央寄りに設ける事により達成する。【選択図】図２
0003153638.tif 000002
【実用新案登録請求の範囲】
【請求項１】
可撓性のある１枚のシートの中につば部とベルト部を有し、ベルト部の両端はつば部両端と基礎折り筋を介して繋がっており、該折り筋からベルト部を反転させて、つば部とベルト部の間に生じる空間を利用して頭に被るサンバイザーに於いて、該折り筋に平行なサイズ調整用折り筋をつば部側に有することを特徴とするサンバイザー。
【請求項２】
シート状態で、基礎折り筋の内側端から少なくとも一部の長さはつば部とベルト部が切り込みを介して接しており、サイズ調整用折り筋と該折り筋より更につば部中央寄りの切り込み辺を縁端とする係止切り込みをつば部側に設けたことを特徴とする請求項１記載のサンバイザー。
【考案の詳細な説明】
【技術分野】
【０００１】
本考案は、頭部に被着して日光の日差しから目を守るために使用する、１枚の可撓性シートを打ち抜いただけの簡単に組み立てられるサンバイザーに関する。
【背景技術】
【０００２】
ポリプロピレンシートや紙シートによる１枚のシートに、シート縁端部に達しない両端部が直線で中央部が略円弧状の切り込みにより、つば部とベルト部に分け、切り込みの両端からつば部端部シート縁端に折り筋を有し、該折り筋からベルト部を反転させて、つば部とベルト部の間に空間を作り頭に被るサンバイザーが各種提案されている（特許文献１、２）。しかしこれらに共通した欠点は、ベルト部の長さは一定であるため、頭部サイズの調整が出来ず、最も平均的な頭部サイズで作るしかなかった。即ちこれらの方式では頭部サイズはつば部側切れ目長さとベルト部長さで決まり、１つのサンバーザーからは１種類の頭部サイズしか出来なかった。
【特許文献１】実開平５−１４１２４
【特許文献２】実開平６−６５４３４
【考案の開示】
【考案が解決しようとする課題】
【０００３】
本考案が解決しようとしている課題は、上述したように１枚のシートから打ち抜いただけで作られる簡便な組み立て式サンバイザーに於いても、頭部サイズを調節出来るようにする事である。
【課題を解決するための手段】
【０００４】
第一の課題解決手段は、可撓性のある１枚のシートの中につば部とベルト部を有し、ベルト部の両端はつば部両端と基礎折り筋を介して繋がっており、該折り筋からベルト部を反転させて、つば部とベルト部の間に生じる空間を利用して頭に被るサンバイザーに於いて、該折り筋に平行なサイズ調整用折り筋をつば部側に有することを特徴とするサンバイザーとする。
【０００５】
第二の課題解決手段は、シート状態で、基礎折り筋の内側端から少なくとも一部の長さはつば部とベルト部が切り込みを介して接しており、サイズ調整用折り筋と該折り筋より更につば部中央寄りの切り込み辺を縁端とする係止切り込みをつば部側に設けたことを特徴とする第一の課題解決手段記載のサンバイザーとする。
【考案の効果】
【０００６】
特許文献１、２に示すようなつば部とベルト部がそれぞれの両端部が折り筋を介して繋がっており、折り筋からベルト部を反転して生じる空間により頭に被る方式では従来は頭のサイズは調整出来なかったが、本考案により１枚のシートを打ち抜いた簡単なサンバーザーで容易に頭サイズの調整を可能とした。
【考案を実施するための最良の形態】
【０００７】
図１は本考案サンバイザーの展開図である。０．５ミリ厚チタン顔料充填ポリプロピレンシート１はつば部２とベルト部３が基礎折り筋５ａ、５ｂにより繋がっており、基礎折り筋５ａ、５ｂ端の９ａ、９ｂからそれぞれ８ａ、８ｂ間は切り込み４ａ、４ｂを介してつば部とベルト部が接している。ベルト部縁辺４ｃとつば部縁辺５で囲まれる空間Ｎはシートが存在しない。本実施例ではＮ部を切り落としたが、ベルト縁辺４ｃを折り筋にしたり、折り筋もつけずにそのまま残しても勿論、本考案の本質に影響を与えるものではない。
【０００８】
図１では、基礎折り筋５ａ、５ｂよりつば部中央寄りに、切り欠き４ａ、４ｂ区間内のつば部側に該基礎折り筋に平行するサイズ調整用折り筋６ａ、６ｂを設け、更につば部中央寄り内側の切り欠き４ａ、４ｂ区間内に係止切り込み７ａ、７ｂを設けている事を示す。
【０００９】
図２は、図１の状態からベルト部３を縁端辺４ｃを上に引き上げ、そのまま１回転させ、基礎折り筋５ａ、５ｂから折り曲げた状態の斜視図を示す。この状態は頭サイズは最大である。
【００１０】
図３は、図２の状態からサイズ調整用折り筋６ａ、６ｂで折り曲げ、ベルト部３の４ｃ辺を係止切り込み７ａ、７ｂに差し込んだ状態の斜視図を示す。このサイズ調整折り筋から折り曲げる事により、頭サイズは小さくなり、係止切り込みにベルト部を差し込む事によりこの状態が固定される。
【図面の簡単な説明】
【００１１】
【図１】展開平面図
【図２】組み立て斜視図
【図３】頭サイズ調整後の組み立て斜視図
【符号の説明】
【００１２】
１            シート
２            つば部
３            ベルト部
４ａ、４ｂ    切り欠き
４ｃ          ベルト部縁端辺
５ａ、５ｂ    基礎折り筋
６ａ、６ｂ    サイズ調整用折り筋
７ａ、７ｂ    係止切り欠き
Ｎ            シートなし（ブランク）
【図１】
0003153638.tif 000003
【図２】
0003153638.tif 000004
【図３】
0003153638.tif 000005
(57)【要約】      （修正有）【課題】シンプルで軽量、調整も簡単で、初心者でも容易にＧ／Ａトリルを出すことができるＧ／Ａトリルメカニズムを提供する。【解決手段】Ｄトリルキィ２の細パイプ１４部分にスクイキィ６を設け、ボッチ７を設けた裏側Ｇ♯カップ１１の開閉をＤトリルキィ２で行うことを特徴とする。【選択図】図３
0003153664.tif 000002
【実用新案登録請求の範囲】
【請求項１】
フルート属のＧ／Ａトリルメカニズムであって、
Ｄトリルキィ２の細パイプ１４部分にスクイキィ６を設け、ボッチ７を設けた裏側Ｇ＃カップ１１の開閉をＤトリルキィ２で行うことを特徴としたＧ／Ａトリルメカ二ズム
【考案の詳細な説明】
【技術分野】
【０００１】  本考案は、フルート属の構造で、Ｇ／Ａトリルメカニズムと呼ばれる高音のＧ音とＡ音のトリルを容易に発音できる装置に関する
【背景技術】
【０００２】  「図１」
フルートは頭部管、胴部管、足部管の３点で構成されているが、本考案は、胴部管のキイの構造に関する。キイは一方に、タンポと呼ばれる密閉材が組み込まれた皿状のカップ１３がついている。キィは管体に立てられたポスト１２と呼ばれる支柱に支えられた芯金に組み込まれ、押さえると閉じ、離すとバネにより開く。逆の動作キィも存在する。カップ部分を指で押さえ、離すことで、管体にあけられたトンホールと呼ばれる音孔を開閉するよう作られている。
フルートは、通常、１オクターブから３オクターブ以上の音域を持っているが、その内、出し難い幾つかの音があり、それを出しやすくする為に様々な装置が考案されている。特に３オクターブのＧ音とＡ音のトリルは、初心者は勿論プロ奏者でも難しいとされている。そのためにＧ／Ａトリルメカニズムと言う装置が従来から考案され実用化されている。「以下単にＧ／Ａメカと記す」
従来のＧ／Ａメカが付いたもの  図２「図面は管体部を省略した展開図」
従来、Ｇ／Ａトリルの運指を容易にするため数種類のＧ／Ａメカが考案されているが、その全てが大型で、重く、複雑であった。「図２打点部分」Ｇ／Ａトリルをだすための運指は、Ｄトリルキィ２とＧ／Ａトリルキィ３の二つのキィを同時にくり返し押さえ離すことで出すことができる構造である。つまり、Ｄトリルカップ８とＧ＃カップ小４とＣ＃カップ５の３箇所を同時に開閉することで３オクターブのＧ／Ａトリルを得る方式である。
従って、Ｇ／Ａトリルキイ３とその部品Ｇ＃カップ小４とＣ＃カップ５を同時に開閉できる構造にするため、一体で構成されている。また、管体部にトンホールを二箇所増設しなくてはならなかった。更に、Ｄトリルキィ２にも、連絡棒１０が必要になる等、大型化は避けられなかった。
【考案の開示】
【考案が解決しようとする課題】
【０００３】従来のＧ／Ａメカは、大型で外観を損なうだけでなく、部品数が多く調整も困難であった。
【問題を解決するための手段】
【０００４】  本考案は、上記問題点を解決するため、新たなトンホールを作らず、既存のトンホール及びキィを利用することで解決した「図３打点部分」
Ｇ／Ａメカの付いていない標準的なフルート「図１」のＧ／Ａトリルの運指は、左手小指で裏側Ｇ＃カップ１１、右手でＤトリルキィ２とＤ＃トリルキィ１の２箇所、計３箇所を同時開閉操作するが、両手の動作を完全に同調させなければならない。Ｇ／Ａトリルが困難な所以である。本考案は、左小指で操作していた裏側Ｇ＃カップ１１の開閉を、右手で操作するＤトリルキィ２にスクイキィ６を設けＤトリルキィ２の開閉に同調して開閉するようにしたことである。図面について説明すると「図３」Ｄトリルキィ２の細パイプ部分１４に設けられたスクイキィ６は、Ｄトリルキィ２を押さえることで先端が上昇し、ボッチ７を押し上げ裏側Ｇ＃カップ１１を開く。従って、左手小指での操作は省略でき、右手操作のみでＧ／Ａトリルを出すことができる。
【考案の効果】
【０００５】  以上のように、小部品２個追加するだけであるから、非常にシンプルで軽量、調整も簡単で、運指も右手でＤトリルキィ２とＤ＃トリルキイ１を同時に操作するだけで、初心者でも容易にＧ／Ａトリルを出すことができる。
【考案を実施するための最良の形態】
【０００６】本考案は、小部品２個を追加するだけであるから、完成後のフルートにも簡単に取り付けることができる。
【図面の簡単な説明】
【０００７】
【図１】  従来の、Ｇ／Ａメカの付いていない標準タイプ。「管体部を省略した展開図」
【図２】  従来の、Ｇ／Ａメカの付いている標準タイプ「管体部省略」
【図３】  本考案の、Ｇ／Ａメカのついたもの「管体部省略」
【図４】  改善部拡大図
【図５】  改善部側面図
【符号の説明】
【０００８】「カップ名称は開いた時出る音名で記す」
１    Ｄ＃トリルキィ                  ９    Ｄ＃トリルカップ
２    Ｄトリルキィ                  １０    Ｄトリル連絡棒
３    Ｇ／Ａトリルキィ              １１    裏側Ｇ＃カップ
４    Ｇ＃カップ小                  １２    ポスト
５    Ｃ＃カップ                    １３    カップ
６    スクイキィ                    １４    細パイプ
７    ボッチ
８    Ｄトリルカップ
【図１】
0003153664.tif 000003
【図２】
0003153664.tif 000004
【図３】
0003153664.tif 000005
【図４】
0003153664.tif 000006
【図５】
0003153664.tif 000007
(57)【要約】      （修正有）【課題】歯磨き剤を歯ブラシにつけるに当たり、子供や高齢者にも容易に使用でき、かつ、歯磨き剤のおき場所も一定し、安定した載置状態を維持できるワンタッチ・プッシュ式歯磨き剤を提供する。【解決手段】片手に歯ブラシを持ち、もう一方の手でプッシュ式容器のピストンを操作することで、蓋を開けることなく歯ブラシに歯磨き剤をつけることが出来るように、歯磨き粉を練り状または泡状にして、ワンタッチ・プッシュ式容器に入れて使用出来る用にする。【選択図】図１
0003153654.tif 000002
【実用新案登録請求の範囲】
【請求項１】
従来のチューブ入り歯磨粉（練り状）をプッシュ式容器に入れ、ワンタッチで使用できるようにした「ワンタッチ・プッシュ式歯磨粉」
【請求項２】
「ワンタッチ・プッシュ式歯磨粉」に入れる歯磨粉が泡状の歯磨粉を使用した物
【考案の詳細な説明】
【技術分野】
【０００１】  この考案は、日常使用度の高い「歯磨粉」（正しくは「歯磨剤」）を、ワンタッチで使用可能な『プッシュ式容器』に練り状または泡状にして入れた物にするということです。
【背景技術】
【０００２】  従来、歯磨粉（正しくは「歯磨剤」）は、チューブ入りであった。
【考案が解決しようとする課題】
【０００３】  日常的に歯を磨く行為は、片手に歯ブラシを持ち歯磨粉を添ける。
その時、従来のチューブ式の歯磨粉では、蓋を開けるために両手を使わなければならない。
また、チューブ式の場合、置く場所も一定せず不安定である。
本考案は、以上の様な欠点を解決するためになされた。
【考案が解決しようとする課題】
【０００４】  歯磨粉を練り状または泡状にして『プッシュ式容器』に入れる。
【考案の効果】
【０００５】  『プッシュ式容器』に歯磨粉を入れることで、両手を使わないと付けることができなかった歯磨粉を、ワンタッチで添けることができ、大変便利である。
また、『プッシュ式容器』にすることで、チューブ式の様に置く場所の不安定さも解消し、安定感もあるため、子供や高齢者にも便利である。
【図面の簡単な説明】
【０００６】
【図１】  図１は、本考案のワンタッチ『プッシュ式（泡・練り状）歯磨き粉』の外観図である。
【符号の説明】
【０００７】  １  中身（練り状または泡状の歯磨粉）
２  プッシュ式押し場所
３  出口
【図１】
0003153654.tif 000003
【手続補正書】
【提出日】平成21年5月18日(2009.5.18)
【手続補正１】
【補正対象書類名】実用新案登録請求の範囲
【補正対象項目名】全文
【補正方法】変更
【補正の内容】
【実用新案登録請求の範囲】
【請求項１】
チューブ入り歯磨粉をプッシュ式容器に入れ、ワンタッチで使用できるようにした「ワンタッチ・プッシュ式歯磨粉」
【請求項２】
「ワンタッチ・プッシュ式歯磨粉」に入れる歯磨粉が泡状の歯磨粉を使用したことを特徴とする請求項目１に記載の「ワンタッチ・プッシュ式歯磨粉」
(57)【要約】【課題】  持ち歩いていた傘や杖をショッピングセンターなどのベンチを利用するときに置き場所がなく、座面にもたれかけさせたり、座面の上に置いたりして他の人に迷惑をかけていたことの解消。【解決手段】  傘や杖を立てかける筒１の支持金物２にバネ蝶番３を取り付けて、使用しないときは奥に収納できる傘及び杖保持具１０によりこの問題を解決する。【選択図】図３
0003153652.tif 000002
【実用新案登録請求の範囲】
【請求項１】
傘及び杖を保持する筒をベンチの座面の裏又はベンチ本体の金物部分に取り付けてバネによって座面の下に収納できる傘及び杖保持具。
【考案の詳細な説明】
【技術分野】
【０００１】  本考案はショッピングストアなどのベンチを利用するときの傘及び杖の置き場所に関する。
【背景技術】
【０００２】  従来、店内などで持ち歩く傘や杖を、ベンチを利用するときに置く場所がなかった。
【考案の開示】
【考案が解決しようとする課題】
【０００３】  その為にベンチにもたれかけさせたり座面の上に置いたりして他の人に迷惑をかけていた。
【課題を解決するための手段】
【０００４】  そこで、ベンチの座面の裏又はベンチ本体の金物部分に取り付けられる傘及び杖の保持具を考案した（図４）。この保持具により傘や杖の置き場所に困らなくなった。
【考案の効果】
【０００５】  よって本考案の傘及び杖保持具により、ベンチにもたれかけさせたり座面の上に置いたりして他の人に迷惑をかけることがなくなった。また、使用後は傘及び杖を引き抜くとバネにより奥へひっこむために保持具がじゃまになることもない。
【考案を実施するための最良の形態】
【０００６】  本考案に係る傘及び杖保持具（１０）は、図４に示すように傘及び杖を保持する筒１をそなえている。通常は図１の点線図に示すようにベンチＡの下に収納されていて通行のじゃまにならなくなる。使用時は筒１を引っぱりだし傘及び杖を筒の中に立てかけて手をはなすとそのまま保持される。尚、材質は金属、木材、樹脂などで製作が出来るが、特に金属製が強度が良い。
【図面の簡単な説明】
【０００７】
【図１】本考案に係る傘及び杖保持具の平面図である。
【図２】本考案に係る傘及び杖の正面図である。
【図３】本考案に係る傘及び杖保持具の斜視図である。
【図４】本考案に係る傘及び杖保持具の使用時の斜視図である。
【符号の説明】
【０００８】    １  筒
２  筒を取り付ける支持金物
３  バネ付き蝶番
４  収納時のストップ位置決め金物
１０  傘及び杖保持具
Ａ  ベンチ座面
Ｂ  ベンチ金物
Ｃ  傘
【図１】
0003153652.tif 000003
【図２】
0003153652.tif 000004
【図３】
0003153652.tif 000005
【図４】
0003153652.tif 000006
(57)【要約】      （修正有）【課題】ドアを容易に閉めることができる冷蔵庫を提供する。【解決手段】冷蔵庫を側面から見た時の形を台形とする。【選択図】図１
0003153660.tif 000002
【実用新案登録請求の範囲】
【請求項１】
冷蔵庫の形を側面から見た時の形を台形の形にする。
【考案の詳細な説明】
【技術分野】
【０００１】  本考案は冷蔵庫のドアの開け閉めに関するものである。
【背景技術】
【０００２】  地球には引力という物と物が引き合う力が有ります。
【考案の開示】
【考案が解決しようとする課題】  今迄は冷蔵庫を開ける時と冷蔵庫を閉める時にある程度の力を要していました。
【課題を解決するための手段】  冷蔵庫のドアを開け冷蔵庫のドアから手を放した時にドアが自動的に閉まるようにする為に冷蔵庫を側面から見た時の形を台形にする。
そのような形にする事により、ドアが真横に開かなくてやや地球の引力と逆方向、上方向きに開く。
冷蔵庫を開け閉めする時に、手を放す事により側面から見た時の形が台形になっている為に冷蔵庫のドアが地球の引力により、下方に引っぱられる為に自動的にドアが閉まります。
【考案の効果】  冷蔵庫のドアを開け閉めする時には、冷蔵庫のドアを開け、ドアから手を放す事により、自動的に閉まるので、凄く簡単に楽になる。優しく、ゆっくり閉まる。
【考案の実施する為の最良の形態】
今迄の冷蔵庫のドア部分を少し上にあげてやる事により自動的にドアが閉まる。
【図面の簡単な説明】
【図１】は冷蔵庫を横から見た時の側面図
【図２】は冷蔵庫のドアを少し開けた時の側面図
【図３】は今迄の冷蔵庫のドア部分を少し上にあげた時の側面図
【符号の説明】  ▲イ▼は冷蔵庫のドア
▲ロ▼は固定具
【図１】
0003153660.tif 000003
【図２】
0003153660.tif 000004
【図３】
0003153660.tif 000005
【手続補正書】
【提出日】平成21年6月19日(2009.6.19)
【手続補正１】
【補正対象書類名】実用新案登録請求の範囲
【補正対象項目名】全文
【補正方法】変更
【補正の内容】
【実用新案登録請求の範囲】
【請求項１】
冷蔵庫を側面から見た時の形を台形の形にし、冷蔵庫のドアを開けてから閉める時に、地球の引力により自動的に閉まる事を特徴とする冷蔵庫
(57)【要約】      （修正有）【課題】現在の消臭・除菌液やゲル状の消臭・除菌ゲルの噴霧送風方法では季節や環境によって専用の機器を使用しなければならず、１年を通して使用することの出来る噴霧器が無く、1年間を通して使用出来る噴霧器を提供する。【解決手段】複合噴霧送風機７は、加湿しても良い場合には液剤８を超音波振動子６により発生させた霧を送風機４によって風出口１より広範囲に噴霧する。また加湿出来ない場合に於いては超音波振動子停止用スイッチ５を切り超音波振動子６を止め送風機４の風の通り道２上に消臭・除菌ゲル等の挿入口３を設けゲル等の自然蒸散するものを置き送風機４により風出口より送風する。これによって加湿せずに超音波式噴霧器同様の効果を得る事が出来る。【選択図】図１
0003153608.tif 000002
【実用新案登録請求の範囲】
【請求項１】
液剤を超音波振動子によって霧を作り、作り出された霧を送風機により送風する超音波式噴霧器と液剤及びゲル剤の自然蒸散した、液剤及びゲル剤の蒸気を送風機で送風する自然蒸散式送風機それぞれの機能を有することを特徴とする複合噴霧送風機。
【考案の詳細な説明】
【技術分野】
【０００１】
本考案は、従来の超音波式噴霧器とゲル等の自然蒸散式の送風器を複合化した複合噴霧送風機に関するものである。
【背景技術】
【０００２】
従来の消臭・除菌液の噴霧方法は、超音波式噴霧器で加湿しながら消臭・除菌をするものとゲルや液化した消臭・除菌ゲルを自然蒸散式で行うものが個々にあります。
【０００３】
また、現在の消臭・除菌方法では、夏場は湿気が多く超音波式噴霧器では使用は不向きで自然蒸散式のものを使用しています。季節や環境に応じて専用の装置を使用しなければなりません。
【考案の概要】
【考案が解決しようとする課題】
【０００４】
現在の消臭・除菌液やゲル状の消臭・除菌ゲルの噴霧送風方法では季節や環境によって専用の機器を使用しなければならず、１年を通して使用することの出来る噴霧器が無く、1年を通して使用出来る噴霧器を提供する。
【課題を解決するための手段】
【０００５】
本考案に係る複合噴霧送風機７は、加湿しても良い場合には液剤８を超音波振動子６により発生させた霧を送風機４によって風出口１より広範囲に噴霧します。また加湿出来ない場合に於いては超音波振動子停止用スイッチ５を切り超音波振動子６を止め、送風機４の風の通り道２上に消臭・除菌ゲル剤等の挿入口３を設け、ゲル剤等の自然蒸散するものを置き、送風機４によりゲル剤等から自然蒸散した蒸気を風出口１より送風します。これによって加湿せずに超音波式噴霧器同様の効果を得る事が出来ます。
【考案の効果】
【０００６】
この考案は、以上に説明したように構成されているので、この複合噴霧送風機が１台あれば季節や環境に左右されず、１年を通して使用することができます。
【図面の簡単な説明】
【０００７】
【図１】本考案の複合噴霧器を組み込んだ概略構成図である。
【考案を実施するための形態】
【０００８】
上記のように構成された複合噴霧送風機は、加湿可能な場合は液剤を使用する超音波式噴霧器を用い、加湿不可の場合はゲル剤等を使用しゲル剤等の自然蒸散したものを送風機によって送風する。
【実施例】
【０００９】
実施例について図面を参照して説明すると、図１において、複合噴霧送風機７は、加湿しても良い場合には液剤８を超音波振動子６により発生させた霧を送風機４によって風出口１より広範囲に噴霧します。また加湿出来ない場合に於いては超音波振動子停止スイッチ５を切り超音波振動子６を止め送風機４の風の通り道２上にゲル剤等の挿入口３を設け、ゲル剤等の自然蒸散するものを置き送風機４により送風し、風出口１よりゲル剤等より自然蒸散したものを飛ばします。これによって加湿せずに超音波式噴霧器同様の効果を得ることが出来ます。
【符号の説明】
【００１０】
１    風出口
２    風の通り道
３    ゲル等挿入口
４    送風機
５    超音波振動子停止用スイッチ
６    超音波振動子
７    複合噴霧器
８    液剤
【図１】
0003153608.tif 000003
(57)【要約】      （修正有）【課題】霧状になった液剤を一定時間噴霧することで、手指洗浄に使用する液剤の量を最小限に制御することが出来る自動手指洗浄器を提供する。【解決手段】自動手指洗浄器１は、空気送り出し用コンプレッサー２、液剤容器３、噴霧用ノズル４、人体感知センサー５、制御装置６により構成する。人体感知センサー５により人を感知した時に、コンプレッサー２から空気を液剤容器３に直結されている噴霧用ノズル４に送り込み液体を吸引混合し、噴霧用ノズル４から霧状の液剤を空気圧によって噴霧する。噴霧された霧は制御装置６によって噴霧時間が制御され、一定時間のみ噴霧する。時限設定されていることにより液剤は少量で効率良く従来の１０分の１以下の液剤の使用量で手指洗浄が可能となる。【選択図】図１
0003153609.tif 000002
【実用新案登録請求の範囲】
【請求項１】
噴霧用ノズルを用い、コンプレッサーにより空気を液剤容器に直結された噴霧用ノズルに送り込み、液体を吸引混合し噴霧ノズルから霧状の液剤を空気圧によって噴霧させる自動手指洗浄器で、噴霧用ノズルより噴霧される霧を超微粒子にすることを特徴とする自動手指洗浄器。
【考案の詳細な説明】
【技術分野】
【０００１】
本考案は、噴霧用ノズルを用い、コンプレッサーにより空気を送りだしノズルにおいて霧状になった液剤を噴霧することが出来る、手指洗浄器に関するものである。
【背景技術】
【０００２】
従来の手指洗浄方法は、液剤を手動ポンプ方式で供給する方法や液剤を液剤容器に入れ上から垂れ流して供給する方法です。
【０００３】
また、現在の手指洗浄方法ですと、液剤の使用量が膨大な量になります。
【考案の開示】
【考案が解決しようとする課題】
【０００４】
現在の手指洗浄方法ですと、例えば手動ポンプの場合１回ポンプを押すと市販のポンプで１ＣＣ〜４ＣＣ出ます。また、液剤を上から垂れ流す方法で１回に使用する使用量は使用する人によってさまざまになり液剤の使用量は計り知れないものと思われます。
【課題を解決するための手段】
【０００５】
本考案に係る自動手指洗浄器１は図１に示すように、空気送り出し用コンプレッサー２、液剤容器３、噴霧用ノズル４、人体感知センサー５、制御装置６で構成されています。まず、人体感知センサーにより人を感知した時に、コンプレッサー２から空気を液剤容器３に直結されている噴霧用ノズル４に送り込み液体を吸引混合し、噴霧用ノズル４から霧状の液剤を空気圧によって噴霧します。噴霧された霧は制御装置６によって噴霧時間が制御され、一定時間しか噴霧しません。時限設定されていることにより液剤は少量で効率良く、従来の１０分の１以下の液剤の使用量で手指洗浄が可能となります。
【考案の効果】
【０００６】
この考案は、以上に説明したように、自動手指洗浄器は、噴霧用ノズルによって超微粒子の霧を作り出すことができると共に制御装置によって必要に応じた時限設定が可能です。このことにより、手指洗浄に使用する液剤の使用量を最小限にする事が出来ます。
【図面の簡単な説明】
【０００７】
【図１】本考案の自動手指洗浄器を組み込んだ概略構成図である。
【考案を実施するための形態】
【０００８】
上記のように構成された自動手指洗浄器は、人体感知センサーによる自動動作とコンプレッサーの空気圧によって噴霧用ノズルより霧状で超微粒子の液剤を噴霧することができます。
【実施例】
【０００９】
実施例について図面を参照して説明すると、図１において、この、自動手指洗浄器１は、コンプレッサー２から空気を液剤容器３に直結されている噴霧用ノズル４に送り込み液体を吸引混合し、噴霧用ノズル４から霧状の液剤を空気圧によって噴霧します。噴霧された霧は制御装置６によって噴霧時間が制御され、一定時間しか噴霧しません、時限設定されていることにより液剤は少量で効率良く、従来の１０分の１以下の液の使用量で手指洗浄が可能となります。
【符号の説明】
【００１０】
１    自動手指洗浄器
２    空気送り出し用コンプレッサー
３    液剤容器
４    噴霧用ノズル
５    人体感知センサー
６    制御装置
【図１】
0003153609.tif 000003
(57)【要約】      （修正有）【課題】バッグとして持ち歩くのに、簡単にきれいに折りたためるので本体にポケットを取り付ければその中にきれいに収納することができるバッグを提供する。【解決手段】袋の口の左右両端にそれぞれ凸釦と凹釦を付ける事で、単に四角い袋を手提げバッグとして使用することができる。１回くぐらせて留めるので強度もでるし持ち手とする空間もできる。【選択図】図２
0003153687.tif 000002
【実用新案登録請求の範囲】
【請求項１】
袋の口の左右両端にそれぞれ凸釦と凹釦を付ける事で、単に四角い袋を手提げバッグとして使用することができるバッグ。
【考案の詳細な説明】
【考案の詳細な説明】
【考案が解決しようとする課題】
【０００１】    四角い袋に持ち手を付けようとするとコストがかかるし、折りたたんでも持ち手部分が邪魔になる。持ち手がないと持ちづらい。袋の両端を真結びにすると結び目が滑ったり、手を入れる空間ができなかったりする。
【課題を解決しようとするための手段】
【０００２】    袋口の片方に凸釦、もう片方に凹釦を２枚合わせて付ける。これを左右一回くぐらせてホックで留める。
【考案の効果】
【０００３】    エコバッグとして持ち歩くのに、簡単にきれいに折りたためるので本体にポケットを取り付ければその中にきれいに収納することができる。
１回くぐらせて留めるので強度もでるし持ち手とする空間もできる。
【図面の簡単な説明】
【図１】凸凹釦を左右に付けた状態である。
【図２】左右の凸凹釦の部分をくぐらせる様子である。
【図３】釦を留め、結び目をしぼって持ち手部分を作った図である。
【符号の説明】１，凸釦    ２，凹釦    ３，収納のためのポケット
【図１】
0003153687.tif 000003
【図２】
0003153687.tif 000004
【図３】
0003153687.tif 000005
(57)【要約】      （修正有）【課題】冷凍品を取り出しやすい冷凍庫を提供する。【解決手段】上入れ式の冷凍庫を上下二段として、上段は庫内を二層とし扉も上開きの二枚とし、下段は引きだし方式とし、一層を２０リットル〜５０リットル程度として、３層又は４層としたことを特徴とする。【選択図】図１
0003153684.tif 000002
【実用新案登録請求の範囲】
【請求項１】
上入れ式の冷凍庫を上下二段として、上段は庫内を二層とし扉も上開きの二枚とし、下段は引きだし方式とし、一層を２０リットル〜５０リットル程度として、３層又は４層としたことを特徴とする、分け入れが出来、簡単に取り出しが出来る冷凍庫。
【考案の詳細な説明】
【技術分野】
【０００１】  本考案は、冷凍庫の庫内を細分割することで冷凍品を分けて入れる事で、短時間で取り出す事が出来、冷気が庫外に放出される事が少なくなり、環境に優しく、省エネにも貢献する。
【背景技術】
【０００２】  従来品は、１層で容量がおおきいため、分け入れが出来ず、先に入れた物を取り出しにくく、長時間扉を開放する事が多く、消費電力が多くなり不経済である。
【考案の開示】
【考案が解決しようとする課題】
【０００３】  先に入れた冷凍品を取り出すのに、後から入れた冷凍品を取り出してからでないと取り出せないので、冷気が放出されるので、電気の消費が多くなる。
【課題を解決するための手段】
【０００４】  冷凍庫内を上下２段とし、上段は上開き、下段を引き出し式に分割し、分け入れが可能になり、冷凍品の取り出しが容易となり、電力の消費が少なくなる。。
【考案の効果】
【０００５】  本考案の冷凍庫は、庫内を細分割することで、冷凍品を取り出しやすくなり、冷気が放出しにくくなるため、電気の消費が少なく、省エネと、環境に優しい製品となる。
【考案を実施するための最良の形態】
【０００６】  ［図１］のように、上開き部分と引き出し部分に分割し、上開きは庫内と扉を２個（冷凍庫の大きさにより増加）引き出し部分も１層を２０〜５０リットル程度とし、冷凍庫の大きさにより個数を調整する。
【実施例】
【産業上の利用可能性】
【図面の簡単な説明】
【０００７】
【図１】本考案の平面図
【符号の説明】
【０００８】１  引きだし
２  扉
３  取って
【図１】
0003153684.tif 000003
(57)【要約】      （修正有）【課題】自転車の車軸に広告あるいはアクセサリーなどの表示物を取り付けるとき、手軽に取り付けが出来る自転車用表示ディスクを提供する。【解決手段】表示物に開口部と割れ目開口Ａ３を設けた表示ディスクＡと、表示ディスクＡを車軸の中央部に保つ補助装置Ｂから構成された自転車用表示ディスクを特徴とする。【選択図】図５
0003153682.tif 000002
【実用新案登録請求の範囲】
【請求項１】
自転車の車軸に取り付ける表示ディスクにおいて
（イ）表示物に開口部と割れ目開口を設け、自転車の車輪のスポーク間の隙間を通じて、車軸に安易に取り付け可能なことを特徴とする表示ディスク。
（ロ）上記表示ディスクの左右にスポーク間の隙間を通じて取り付ける、表示部を設けた割スリーブからなる補助装置。
以上の構成よりなる自転車用表示ディスク。
【考案の詳細な説明】
【技術分野】
【０００１】  この考案は、広告あるいはアクセサリーとして自転車の車軸に取り付ける自転車用表示ディスクに関するものである。
【背景技術】
【０００２】  従来、自転車の車軸に広告あるいはアクセサリーを取り付ける行為は一般的に行われていない。自転車の車軸に取り付ける表示板としては特許公開第２００７−５０８７２号公報や登録実用新案第３１０８８２３号公報などに記載されたものが知られている。
【考案の概要】
【考案が解決しようとする課題】
【０００３】  これらには次のような欠点があった。
自転車の車軸に表示板を取り付けるには、スポーク間の狭い隙間から複雑な表示板を侵入させ、組み立てる手法をとっている為、設置に時間がかかり、また手が汚れて困る事が多かった。設置に手間がかかる為、広く一般に普及するに至らなかった。
本考案は、以上のような欠点をなくす為になされたものである。
【課題を解決するための手段】
【０００４】  本考案は、１枚の表示ディスク（Ａ）と２個の補助装置（Ｂ）によって構成されている。左右両平面部分に表示部（Ａ１）を有する表示ディスク（Ａ）に、車軸に合う開口部（Ａ２）を設け、開口部（Ａ２）からディスク外周方向に割れ目開口（Ａ３）を設ける。また補助装置（Ｂ）は表面に表示部（Ｂ１）を有する割スリーブである。２個の補助装置（Ｂ）は表示ディスク（Ａ）の位置を車軸の中央部に保つ為に使用する。視認性に優れているだけでなく、容易に設置できることを特徴とした自転車用表示ディスクである。
【考案の効果】
【０００５】  本考案により、自転車の車軸への表示物の設置が容易になり、一般的に広く普及することが可能になる。自転車用表示ディスクを広告またはアクセサリーとして使用する場合は、同じ様な無数の自転車の中でオリジナリティを発揮するばかりでなく、たくさんの自転車が並ぶ駐輪場内でも自己所有物の目印となり、所有自転車を安易に見つけ出すことが可能になる。
【図面の簡単な説明】
【０００６】
【図１】本考案の表示ディスクを示す図である。
【図２】本考案の補助装置を示す図である。
【図３】車軸に対して図１に示す表示ディスクを設置する状況を示す図である。
【図４】車軸に対して図２に示す補助装置を設置する状況を示す図である。
【図５】本考案を車軸に設置した状態を示す図である。
【図６】同上の断面図である。
【図７】本考案を自転車に取り付けた例を示す図である。
【考案を実施するための形態】
【０００７】  以下、本考案を実施する為の最良の形態について説明する。
自転車用表示ディスクは表示ディスク（Ａ）と補助装置（Ｂ）で構成されている。表示ディスク（Ａ）は左右両平面部分に表示部（Ａ１）を有し、その中心に車軸に合う開口部（Ａ２）を設け、開口部（Ａ２）からディスク外周方向に割れ目開口（Ａ３）を設ける。補助装置（Ｂ）は表面に表示部（Ｂ１）を有する割スリーブである。
本考案は、以上のような構造である。
自転車用表示ディスクを使用する際は、自転車の車輪の隙間を通じて表示ディスク（Ａ）の割れ目開口（Ａ３）を車軸に押し付け設置すれば良い。また表示ディスク（Ａ）の位置を車軸の中央部に保ちたい場合は、２個の補助装置（Ｂ）を車軸上で表示ディスク（Ａ）を挟むように設置すれば良い。
【符号の説明】
【０００８】  Ａ    表示ディスク
Ａ１  表示ディスクの表示部
Ａ２  表示ディスクの開口部
Ａ３  表示ディスクの割れ目開口
Ｂ    補助装置
Ｂ１  補助装置の表示部
Ｂ２  補助装置の割れ目開口
Ｃ    車軸
Ｄ    スポーク
【図１】
0003153682.tif 000003
【図２】
0003153682.tif 000004
【図３】
0003153682.tif 000005
【図４】
0003153682.tif 000006
【図５】
0003153682.tif 000007
【図６】
0003153682.tif 000008
【図７】
0003153682.tif 000009
(57)【要約】      （修正有）【課題】洋式水洗便器にかける便座カバーにおいて、携帯に便なるように形成し、かつ使用時のずれ防止を図った携帯用便座カバーを提供する。【解決の手段】洋式水洗便器の携帯用便座カバー５は、平面視にて亀の甲羅状をなし、下になる便器の便座の穴８に合わせて、中央部に卵形の穴を開ける。又、該便座カバーの裏面の四方に粘着用板１１を固着し、携帯用便座カバーが縦や横へずれるのを防止する。尚、該携帯用便座カバーは折り曲げて畳み、専用の袋に収納して携帯出来るように、網目状の繋ぎ目１０をいれる。さらに、洗濯の後は、吊るし干し用の掛け穴１２に、掛けて干せるように構成する。【選択図】図２
0003153688.tif 000002
【実用新案登録請求の範囲】
【請求項１】
洋式水洗便器の便座の、上辺部を、覆い敷き張る事が出来るように作った携帯用、便座カバ−であって、
前記洋式水洗便器の携帯用便座カバ−は、平面視にて亀の甲羅状をなしていて尚中央部の卵形の穴は、下になる便器の便座の穴に合わせて、開けた穴である、
又、裏面の四方に固着しである粘着用板は、使用中に便座の表面は人の肌が密着しても、悪感を与えん程にきれいな仕上げが施してある、その滑りやすい便座の表面に付着して、携帯用便座カバ−が縦や横えずれるのを防止する、
尚、携帯用、便座カバ−の収納は、網目状の繋ぎ目で折曲げて畳んで専用の袋に収納して携帯出来る、
又、洗濯の後は、吊るし干し用の掛け穴に、掛けて干せる、特徴のある、
洋式水洗便器の、携帯用便座カバ−。
【考案の詳細な説明】
【技術分野】
【０００１】  本考案は洋式水洗便器の、便座カバ−に関するものである。
【背景技術】
【０００２】従来、洋式水洗便器には便座はあるが便座カバ−は、ないので取り付けの便座を、そのまま使う外はない。
【考案の開示】
【考案が解決しょうとする課題】
【０００３】公園や、各施設内に設けてある、洋式水洗便器の便座に合うように作つた、便座カバ−。
【課題の解決の手段】
本考案は、洋式水洗便器の便座に合うように作つた携帯用の便座カバ−を提供する、ものである。
【考案の効果】
【０００５】前記のように洋式水洗便器は便座に人の肌が直接触れるので前に使つた人が家族で、ない人の後の使用は、違和感を覚える。
【０００６】本考案の洋式水洗便器用の携帯式便座カバ−は使用の後には図、１０の網状の繋ぎ目で折り畳み袋に入れて携帯出来る。
【図面の簡単な説明】
【０００７】
【図１】洋式水洗便器の便座の上辺に携帯用、便座カバ−を覆った、１部、破断、断面側面図、
【図２】洋式水洗便器の便座の上辺に携帯用、便座カバ−を覆った、１部、断面、平面図、
【符号の説明】
【０００８】  １        便座台
２        便座
３        便座の蓋
４        水槽
５        携帯用、便座カバ−
６        水道の蛇口
７        水の入る穴
８        便座の口穴
９        排便の穴
１０        便座カバ−の網目状、繋ぎ目
１１        粘着、板
１２        吊るし干し用、掛け穴
【図１】
0003153688.tif 000003
【図２】
0003153688.tif 000004
(57)【要約】      （修正有）【課題】電磁調理器の表面プレート上に安定配置される電磁調理器汚れ防止マットを提供する。【解決手段】磁力透過性と耐熱性とを備えるマット本体４の下面に、シリコン密着層８が付設されてなる。マット本体の下面にシリコン密着層が付設されているので、調理プレート表面に密着して安定配置され、これにより、鍋等が当った際にも容易に位置ずれすることがなくて鍋等の操作性に優れる。シリコン密着層は耐熱性に優れるので、鍋底からの温度が伝導される場合も熱損傷することがない。【選択図】図３
0003153681.tif 000002
【実用新案登録請求の範囲】
【請求項１】
磁力透過性と耐熱性とを備えるマット本体の下面に、シリコン密着層が付設されてなる電磁調理器汚れ防止マット。
【請求項２】
全体が円形もしくは正方形で、その中心位置に開口が形成されてなる請求項１記載の電磁調理器汚れ防止マット。
【請求項３】
前記開口が直径を３〜７ｃｍとする円形穴である請求項２記載の電磁調理器汚れ防止マット。
【考案の詳細な説明】
【技術分野】
【０００１】  この考案は、電磁調理器の表面プレートの汚れを防止する電磁調理器汚れ防止マットに関する。
【背景技術】
【０００２】  電磁調理器における調理に際しては、鍋の底が直接に接触することで、また、鍋からのフキコボレが付着ナることでその表面プレートが汚れる。したがって、最近その汚れを防止するための電磁調理器汚れ防止マットが提供されている。この電磁調理器汚れ防止マットは、例えばガラス繊維等により構成されて磁力透過性及び耐熱性を持つ構成とされている。
【考案の開示】
【考案が解決しようとする課題】
【０００３】  しかしながら、上記ガラス繊維等よりなる電磁調理器汚れ防止マットは、滑り性を持つことで電磁調理器の表面プレート上に安定配置されない問題がある。安定配置されないと、鍋等が当ると位置づれしてしまうこととなる。【０００４】  この考案は上記の事情に鑑みて行ったもので、電磁調理器の表面プレート上に安定配置される電磁調理器汚れ防止マットを提供することを目的とする。
【課題を解決するための手段】
【０００５】  この考案では、磁力透過性と耐熱性とを備えるマット本体の下面に、シリコン密着層が付設されてなる電磁調理器汚れ防止マットを提供する。【０００６】  上記構成の電磁調理器汚れ防止マットは、マット本体の下面にシリコン密着層が付設されているので、調理プレート表面に密着して安定配置され、これにより、鍋等が当った際にも容易に位置づれすることがなくて鍋等の操作性に優れる。シリコン密着層は耐熱性に優れるので、鍋底からの温度が伝導される場合も熱損傷することがない。【０００７】  電磁調理器汚れ防止マットは、全体が円形もしくは正方形とされ、その中心位置に開口が形成されることで、その開口内に調理プレート表面のセンターマークを位置させて容易に所定位置に配置でき、また、鍋底の熱が最も集中して伝達される中心部分にはシリコン密着層が存在していないので、仮に非常な高温となった場合にも熱によるシリコン密着層の損傷も回避される。開口は直径を３〜７ｃｍとする円形穴とされることが好ましい。
【考案の効果】
【０００８】  この考案によれば、電磁調理器の表面プレート上の所定の位置に安定配置される電磁調理器汚れ防止マットが得られる。
【考案を実施するための最良の形態】
【０００９】  図１はこの考案の電磁調理器汚れ防止マットの平面図、図２は使用形態を示す斜視図、図３は使用時の部分拡大断面図である。電磁調理器汚れ防止マット１は全体が直径を２５ｃｍとする円形で、その中心に直径５ｃｍの円形穴（開口）２が形成されており、ガラス繊維よりなるマット本体４の表面全体にフッ素樹脂コーティングによる保護層６が付設されるとともに、裏面にシリコン樹脂コーティングよりなるシリコン密着層８が付設されている。【００１０】  図２に示すように、電磁調理器汚れ防止マット１は電磁調理器Ｄの調理プレートＰ表面に上に敷設されて使用される。その際、電磁調理器汚れ防止マット１は、その円形穴２内に調理プレートＰ表面のセンターマークＭを位置させることで、容易に所定位置に配置される。電磁調理器汚れ防止マット１が使用されることで、鍋Ｎの底部Ｎａが調理プレートＰ表面上に直接触れず、また、底部Ｎａ周囲に電磁調理器汚れ防止マット１が位置することでフキコボレが調理プレートＰ表面に付着しないので、調理プレートＰ表面上の汚れが防止される。中央に円形穴２が設けられているが、穴径はあまり大きくないのでその位置において鍋Ｎの底部Ｎａが浮き状態となり、かつ、円形穴２が底部Ｎａ中央に位置するのでフキコボレがそこに付着しにくく、したがって、調理プレートＰ表面の円形穴２から露呈する部分はほとんど汚れることはない。【００１１】  使用に際しては、表面全体がフッ素樹脂コーティングによる保護層６により覆われていることで損傷しにくく、かつ、その保護層６表面が滑り性を持つことでその表面上での鍋Ｎ等の操作がスムーズになされる。また、裏面にシリコン密着層８を備えることで調理プレートＰ表面に密着して安定配置され、これにより、鍋Ｎ等が当った際にも容易に位置づれすることがなくてこの点においても操作性に優れる。【００１２】  さらに、使用に伴って鍋底Ｎの熱が電磁調理器汚れ防止マット１側に及ぶが、その熱が最も集中して伝達される中心部分には円形穴２が形成されていてシリコン密着層８が存在していないので、仮に異常に高温となった場合にもシリコン密着層８の損傷が回避される。シリコン密着層８は耐熱性においてマット本体４より劣るが、上記円形穴２を備える構成によりその使用が支障なく行われる。
【図面の簡単な説明】
【００１３】
【図１】  この考案の電磁調理器汚れ防止マットの実施形態の平面図
【図２】  この考案の電磁調理器汚れ防止マットの実施形態の使用状態を示す斜視図
【図３】  この考案の電磁調理器汚れ防止マットの実施形態の使用時における部分拡大断面図
【符号の説明】
【００１４】１    電磁調理器汚れ防止マット
２    円形穴（開口）
４    マット本体
６    保護層
８    シリコン密着層
【図１】
0003153681.tif 000003
【図２】
0003153681.tif 000004
【図３】
0003153681.tif 000005
(57)【要約】      （修正有）【課題】ノートの１ページ内のマス数（記入文字数の目安）を数え易くすることにより、○○○字以内の作文、字数を制限した論文の練習などの際に、作文後または作文中に字を数えることを容易にするノートを提供する。【解決手段】ノートの１ページ内のマス数（１マスに１文字として記入文字数の目安とする）を製品毎に、論文作成の際によく出題されがちな４００マス（１６行×２５行）、６００マス（２０行×３０行）、８００マス（２５行×３２行）として制限し、１つのページでそれぞれの字詰めが完成する仕様とする。さらに字数を数えやすいように、罫の外側に縦横５マス毎にドットを付すことで作文完成後に空いているマスを引き算するなどして作成字数を数えるなどの方法がとれる。【選択図】図１
0003153117.tif 000002
【実用新案登録請求の範囲】
【請求項１】
本文の罫に横罫＋縦ドット罫を採用し、縦横で囲まれた１枠を１マス（１文字）として、１ページ内のマス数（記入文字数の目安）を製品毎に、論文作成の際によく出題されがちな４００マス（１６行×２５行）、６００マス（２０行×３０行）、８００マス（２５行×３２行）として制限し、１つのページでそれぞれの字詰めが完成する仕様を特徴とするノート。
【考案の詳細な説明】
【技術分野】
【０００１】  本考案は、１ページ内のマス数を制限した、ノートブックに関するものである。
【背景技術】
【０００２】  自己啓発や就職活動など日頃の社会的活動において、学生、受験生のみならず社会人も小論文や論述問題の学習や練習を課せられる機会は多い。こうした作文には原稿用紙の使用が一般的であった。通常の横罫ノートでは作成字数を数えるのに不利だがらである。
【考案の概要】
【考案が解決しようとする課題】
【０００３】  原稿用紙は縦書きで使用するものであるが、実際は学術的な論文などは横書きのほうが都合が良い。さらに、原稿用紙は１枚づつなので後で整理保管に困る。以上の理由から作文の際にノートタイプを望んでいるユーザは多い。しかしマス目の大きな子供用学習帳を使おうという発想にはなかなかならない。従って、こうしたユーザが希望するノートは今まで見つからなかった。本考案のノートは、字数をカウントできることにより小論文の作成、論述問題の練習に最適であり、前述の欠点を解決しようとするものである。
【課題を解決するための手段】
【０００４】  本考案は、小論文の作成、論述問題の練習に最適な、字数をカウントできるノートとする。ノート本文の罫に横罫＋縦ドット罫を採用し、縦横で囲まれた１枠を１マス（１文字）として、１ページ内のマス数（記入文字数の目安）を製品毎に、論文作成の際によく出題されがちな４００マス（１６行×２５行）、６００マス（２０行×３０行）、８００マス（２５行×３２行）として制限し、１つのページでそれぞれの字詰めが完成する仕様とする。さらに字数を数えやすいように、罫の外側に縦横５マス毎にドットを付すことで作文完成後に空いているマスを引き算するなどして作成字数を数えるなどの方法がとれる。
【考案の効果】
【０００５】  上述の様に本考案のノートは、字数をカウントできるため、小論文の作成、論述問題の練習に最適である。字数を数えやすいように縦横５マス毎にドットを付してあるだけでなく、４００字詰めタイプ、６００字詰めタイプ、８００字詰めタイプの３種を用意し、１ページ内を作文・論文に適した字数で構成しているので、論文作成に利点がある。４００字は作文・論述の定番字数。４００字タイプは実際の入試や資格テストの解答用紙と同じくらいの大きさで字が書けるので練習に最適。余白を採点欄などに活用できる。６００字タイプ・８００字タイプは長文作成の他、書記など一般的な使用にも便利。Ｂ５の６００字タイプは横罫７．５ｍｍ、８００字タイプは横罫６．５ｍｍでそれぞれＡ罫（７ｍｍ）、Ｂ罫（６ｍｍ）に近いため一般的ノートとしても汎用性が高い。
【図面の簡単な説明】
【０００６】
【図１】  本考案のノートのうち、１ページ４００字詰めの本文の罫内容を示す図（見開き）である
【図２】  本考案のノートのうち、１ページ６００字詰めの本文の罫内容を示す図（見開き）である
【図３】  本考案のノートのうち、１ページ８００字詰めの本文の罫内容を示す図（見開き）である
【考案を実施するための形態】
【０００７】  本文の罫は、横罫＋縦ドット罫を採用し、縦横で囲まれた１枠を１マス（１文字）とする。１ページ内のマス数を製品毎に４００マス（１６行×２５行）、６００マス（２０行×３０行）、８００マス（２５行×３２行）として制限し、１つのページでそれぞれの字詰めが完成する仕様とする。さらに字数を数えやすいように、罫の外側に縦横５マス毎にドットを付す。また、本考案の特徴を考慮し、サイズはＡ４、Ｂ５の２種、ページ数は各２６枚程とする。１マスの大きさは、それぞれの１ページ内のマス数と、本文用紙のサイズ（Ａ４、Ｂ５）に合わせ決定している。
【実施例】
【０００８】  以下、添付図面に従って実施例を説明する。２は本文の罫に横罫＋縦ドット罫を採用し、縦横で囲まれた１枠を１マス（１文字）とすることを示す。罫内容は３の４００マス（１６行×２５行）、４の６００マス（２０行×３０行）、５の８００マス（２５行×３２行）の３種類とし、１マスの大きさおよび横の罫幅は、本文用紙のサイズ（Ａ４、Ｂ５）に合わせ決定する。尚、字数を数えやすいように、１のように罫の外側、縦横５マス毎にドットを付す。
【符号の説明】
【０００９】１  ドット（５マス毎）
２  １マス（縦横で囲まれた１枠）
３  Ｂ５サイズ：横罫９ｍｍ、２５行    Ａ４サイズ：横罫１０．５ｍｍ、２５行
４  Ｂ５サイズ：横罫７．５ｍｍ、３０行    Ａ４サイズ：横罫９ｍｍ、３０行
５  Ｂ５サイズ：横罫６．５ｍｍ、３２行    Ａ４サイズ：横罫７．５ｍｍ、３２行
【図１】
0003153117.tif 000003
【図２】
0003153117.tif 000004
【図３】
0003153117.tif 000005
【手続補正書】
【提出日】平成21年6月3日(2009.6.3)
【手続補正１】
【補正対象書類名】実用新案登録請求の範囲
【補正対象項目名】全文
【補正方法】変更
【補正の内容】
【実用新案登録請求の範囲】
【請求項１】
本文の罫に横罫＋縦ドット罫を採用し、縦横で囲まれた１枠を１マス（１文字）として、１ページ内のマス数を製品毎に、論文作成の際によく出題されがちな４００マス（１６マス×２５マス）、６００マス（２０マス×３０マス）、または、８００マス（２５マス×３２マス）として制限し、１つのページでそれぞれの字詰めが完成する仕様を特徴とするノート。